(57)【要約】【課題】所定のメモリ媒体に記憶されている画像情報と、この画像情報の出力ジョブを設定するジョブ情報とを読み取り、モノクロまたはカラー画像を出力する画像処理装置において、メモリ媒体に記憶されている画像数が少ない場合でも、インデックスシートの全面を読み取る必要がなく、高速で入力部分を読み取ることができ、高速で解析処理することができる画像処理装置を提供することを目的とする。【解決手段】入力部と、この入力部の範囲情報を含むマーカ部とを印刷し、インデックスシートを出力し、インデックスシート上のマーカ部を読み取り、解析し、上記入力部分の範囲を取得し、上記確定した入力部分の範囲に基づいて、上記インデックスシート上の入力部を読み取り、読み取った入力部の画像を解析し、所定のメモリ媒体に記憶されている各画像情報に、解析されたプリント指定情報を自動設定する。【選択図】図６
2007326301.tif 000002
【特許請求の範囲】
【請求項１】
所定のメモリ媒体に記憶されている画像情報と、この画像情報の出力ジョブを設定するジョブ情報とを読み取り、モノクロまたはカラー画像を出力する画像処理装置において、
上記所定のメモリ媒体に記憶されている各画像情報のサムネイル画像と各画像情報のプリント指定情報とを入力する入力部と、上記サムネイル画像数情報を含むマーカ部とを具備するインデックスシートを印刷するインデックスシート出力手段と；
上記インデックスシート出力手段が印刷したインデックスシート上のマーカ部を読み取るマーカ部読取手段と；
上記読取手段が読み取ったマーカ部の画像を解析し、上記入力部における読取範囲を決定する読取範囲決定手段と；
上記読取範囲決定手段が決定した範囲を読み取り、得られたインデックスシートの画像情報に基づいて、プリント指定情報エリアの画像を解析し、上記所定のメモリ媒体に記憶されている各画像情報に、上記解析されたプリント指定情報を自動設定する設定手段と；
を有することを特徴とする画像処理装置。
【請求項２】
請求項１において、
上記プリント指定情報は、プリント枚数、出力用紙サイズ、レイアウト指定のうちの少なくとも１つの情報であることを特徴とする画像処理装置。
【請求項３】
請求項１において、
上記読取範囲決定手段は、上記マーカ部の画像を解析した結果、不正なマーカである場合、不正であることを通知するインデックスシート不具合通知手段を有する手段であることを特徴とする画像処理装置。
【請求項４】
請求項１において、
上記所定のメモリ媒体は、デジタルカメラに装着可能なメモリカードであることを特徴とする画像処理装置。
【請求項５】
所定のメモリ媒体に記憶されている画像情報と、この画像情報の出力ジョブを設定するジョブ情報とを読み取り、モノクロまたはカラー画像を出力する画像処理装置の制御方法において、
上記所定のメモリ媒体に記憶されている各画像情報のサムネイル画像と各画像情報のプリント指定情報とを入力する入力部と、上記サムネイル画像数情報を含むマーカ部とを具備するインデックスシートを印刷するインデックスシート出力工程と；
上記インデックスシート出力工程で印刷したインデックスシート上のマーカ部を読み取るマーカ部読取工程と；
上記読取工程で読み取ったマーカ部の画像を解析し、上記入力部における読取範囲を決定する読取範囲決定工程と；
上記読取範囲決定工程で決定された範囲を読み取り、得られたインデックスシートの画像情報に基づいて、プリント指定情報エリアの画像を解析し、上記所定のメモリ媒体に記憶されている各画像情報に、上記解析されたプリント指定情報を自動設定する設定工程と；
を有することを特徴とする画像処理装置の制御方法。
【発明の詳細な説明】
【技術分野】
【０００１】
本発明は、所定のメモリ媒体に記憶されている画像情報と、この画像情報の印刷ジョブを設定するジョブ情報とを読み取り、モノクロまたはカラー画像印刷する画像処理装置に関する。
【背景技術】
【０００２】
従来、デジタルカメラで撮影し、スマートメディア（登録商標）等のメモリ媒体に記憶されている画像データを印刷する際、パソコンに画像データを転送し、印刷装置で印刷することが主である。
【０００３】
この印刷方法をさらに向上させるために、画像データの他に、画像の属性データや印刷時設定等を、特定のフォーマットに合わせて、メモリ媒体に記憶し、記憶されている印刷設定に従って印刷する技術が開発されている。
【０００４】
この場合、印刷設定を作成するためには、操作性の悪いデジタルカメラで入力するか、パソコンを用いる必要がある等、操作性と必要とする装置構成との点で、その作成にコストを要するという問題がある。
【０００５】
そこで、次の画像処理装置が知られている（たとえば、特許文献１参照）。つまり、特許文献１記載の発明において、所定のメモリ媒体に記憶されている各画像情報のサムネイル画像と、各画像情報のプリント指定情報を入力する入力部とを含むインデックスシートとを、印刷する。そして、この印刷されたインデックスシートを読み取り、この読み取ったインデックスシート画像情報上に存在しているプリント指定情報エリアの画像を解析する。最後に、上記所定のメモリ媒体に記憶されている各画像情報に、上記解析されたプリント指定情報を自動設定する。
【特許文献１】特開２００４−０２５５７６号公報
【発明の開示】
【発明が解決しようとする課題】
【０００６】
しかし、特許文献１記載の発明において、インデックスシート上で、入力部が印刷されている範囲は、実際に読み取って解析するまで不明である。つまり、シート全面を読み取り、読み取った画像の解析を完了するまでは、入力部がどの部分であるのかを判別することができない。
【０００７】
したがって、上記従来例では、メモリ媒体に記憶されている画像数が少ない場合（入力部に画像が１つしかない場合）でも、シート全面を読まなければならず、高速に処理することができないという問題がある。
【０００８】
本発明は、所定のメモリ媒体に記憶されている画像情報と、この画像情報の出力ジョブを設定するジョブ情報とを読み取り、モノクロまたはカラー画像を出力する画像処理装置である。また、本発明は、メモリ媒体に記憶されている画像数が少ない場合でも、インデックスシートの全面を読み取る必要がなく、高速で入力部分を読み取ることができ、高速で解析処理することができる画像処理装置を提供することを目的とする。
【課題を解決するための手段】
【０００９】
本発明は、入力部と、この入力部の範囲情報を含むマーカ部とを印刷し、インデックスシートを出力し、インデックスシート上のマーカ部を読み取り、解析し、上記入力部分の範囲を取得する。また、本発明は、上記確定した入力部分の範囲に基づいて、上記インデックスシート上の入力部を読み取り、読み取った入力部の画像を解析し、所定のメモリ媒体に記憶されている各画像情報に、解析されたプリント指定情報を自動設定する。
【発明の効果】
【００１０】
本発明によれば、メモリ媒体に記憶されている画像数が少ない場合、インデックスシートの全面を読み取る必要がなく、高速で入力部分を読み取ることができ、高速で解析処理することができるという効果を奏する。
【発明を実施するための最良の形態】
【００１１】
発明を実施するための最良の形態は、次の実施例である。
【実施例１】
【００１２】
図１は、本発明の実施例１である画像処理装置１００の構成を示すブロック図である。
【００１３】
画像処理装置１００は、制御部１１と、操作部１２と、メモリ部１３と、メモリ入出力部１４と、スキャナ部１５と、プリンタ部１６と、画像認識部１７とを有する。
【００１４】
制御部１１は、システムの各部の動作を制御または管理し、たとえばマイクロプロセッサとその周辺回路（インタフェース等を含む）とによって構成されている。操作部１２は、制御部１１に対して各種の動作を指定するためのものであり、たとえば、ＬＣＤや種々の操作ボタンを備えている。
【００１５】
メモリ部１３は、画像データとこれに関連するデータとを記憶する。なお、メモリ部１３は、デジタルカメラの画像記憶媒体としてのスマートメディア（登録商標）等のメモリカードや、画像データの入出力Ｉ／Ｆをもつ外部機器自体によって構成されている。実施例１では、スマートメディア（登録商標）を用いる。画像データとともに記憶される関連データとしては、各画像の属性データや、プリントジョブの設定等がある。
【００１６】
メモリ入出力部１４は、画像データと、これに関連するデータとを、メモリ部１３から読み取り、メモリ部１３に書き込むための部分である。スキャナ部１５は、原稿を光学的に読み込む。
【００１７】
プリンタ部１６は、スキャナ部１５が読み込んだ画像であって、画像やメモリ部１３に蓄積されている画像を、操作部１２で指定された情報やメモリ部１３に記憶されているプリント指定情報に応じて、記録紙にプリントする。
【００１８】
画像認識部１７は、メモリ部１３に蓄積されている画像データのインデックスプリントに、各画像のプリント枚数等の画像データに、プリントジョブ設定を書き込む。また、この作成したインデックスプリントを、スキャナ部１５が読み取ったときに、インデックスプリントに書き込まれているプリントジョブ設定を自動認識する。インデックスプリントとプリントジョブ設定とについては、後述する。
【００１９】
図２は、メモリ部１３に蓄積されている画像データと、この画像データに関連するデータの構造とを示す図である。
【００２０】
メモリ部１３は、基本情報２２と、付加情報２３と、画像情報２４との３種類のデータを格納している。
【００２１】
基本情報２２は、画像数や各画像情報の格納されているアドレス情報である。付加情報２３は、各画像の様々な属性データ等の付加的な情報とともに、格納されている画像をプリントするためのプリント指定情報２５を含む。
【００２２】
プリント指定情報２５は、各画像にプリントする枚数を表し、これに従って指定した画像を、指定した枚数分、プリンタ部１６がプリント出力する。プリント指定情報２５は、デジタルカメラやパソコン等で作成して書き込まれるか、または、メモリ入出力部１４を介して、制御部１１が書き込むことができる。ここでは、プリント指定情報として、プリント枚数のみを扱うが、本発明はこれに限定されるものではなく、用紙サイズ指定、レイアウト指定等、より複雑なプリント指定情報を扱うようにしてもよい。
【００２３】
図３は、メモリ部１３に蓄積されている画像データのインデックスプリントを説明する図である。
【００２４】
インデックスプリント３１には、サムネイル画像３２と、プリント情報指定領域３３と、マーカ３４と、領域３５、３６とが印刷される。
【００２５】
インデックスプリント３１は、メモリ部１３に蓄積されている画像のうちで、全てまたは指定されたデータに関して、そのサムネイル画像３２を印刷する。また、プリント情報指定領域３３は、各画像に対するプリント枚数を書き込む領域である。
【００２６】
マーカ３４は、入力部の範囲等の情報を含む。記録紙上の領域３５は、マーカ部の範囲を示す領域である。領域３６は、入力部の範囲を示す領域であり、メモリ媒体内に記憶されている画像数に依存して可変である。また、サムネイル画像とプリント情報指定領域とをレイアウトする方法は、予め決められ、画像数が多ければ、複数の記録紙にインデックスプリントが行われる。
【００２７】
図４は、プリント情報指定領域３３の詳細を示すブロック図である。
【００２８】
図４（１）は、画像ＩＤ領域４１とパターン領域４２とを示す図である。
【００２９】
画像ＩＤ領域４１は、メモリ部１３に蓄積されている画像データと１対１に対応する画像ＩＤ情報を印刷する画像ＩＤ領域である。
【００３０】
パターン領域４２は、その画像のプリント枚数を指定するパターンを印刷する領域であり、０〜９、０、１０、２０、……、９０の数値を入力可能である。
【００３１】
実施例１では、画像ＩＤ領域４１には、画像ＩＤ情報を表すバーコードデータを印刷し、パターン領域４２には、０〜９９枚の範囲で、指定できるマークシートパターンを印刷している。
【００３２】
図４（２）は、図４（１）に示したマークシートパターン上に、画像のプリント枚数として、１５枚を指定した場合を示す図である。
【００３３】
画像のプリント枚数を指定する場合、ユーザが、インデックスプリント上の各画像のプリント情報指定領域３３内のマークシートパターンに、指定枚数を筆記具（たとえばペン）で記入する（塗り潰す）ことによって、指定する。
【００３４】
図５は、インデックスプリント３１のプリント情報指定領域３３に、各画像のプリント枚数を記入した記入済みインデックスプリント結果と、枚数指定状態とを示す図である。
【００３５】
図５（１）は、図３に示すインデックスプリント３１のプリント情報指定領域３３に、各画像のプリント枚数を記入した記入済みインデックスプリント結果を示す図である。
【００３６】
図５（２）は、図３に示すインデックスプリント３１のプリント情報指定領域３３に記入されている各画像のプリント枚数指定を読み取り、生成される画像ＩＤと枚数指定情報とから生成される設定データテーブル例を示す図である。
【００３７】
スキャナ部１５は、図５に示す記入済みインデックスプリント３１をスキャンする。そして、スキャナ部１５は、プリント情報指定領域３３位置マーカ３４に基づいて、プリント情報指定領域３３の位置を特定し、プリント情報指定領域３３内の画像ＩＤとプリント枚数とを、画像認識部１７が画像認識する。
【００３８】
そして、この認識結果に基づいて、図５（２）に示す画像ＩＤとプリント枚数との対からなるプリントジョブ設定データを作成する。そして、作成されたデータは、操作部１２に表示され、インデックスプリントに記入した枚数指定と認識結果とが正しいかどうかを確認することを、ユーザに促す。
【００３９】
さらに、操作部１２を介して、メモリ部１３へ記憶指定が行われると、プリントジョブ設定が、メモリ部１３へ自動的に書き込まれ、プリント指定情報２５のデータが、メモリ部１３上に記憶される。
【００４０】
なお、実施例１では、プリント指定情報は、各画像のプリント枚数であるが、本発明はこれに限定されるものではなく、出力用紙サイズやレイアウト指定等、より複雑なプリント指定を、プリント指定情報に含めるようにしてもよい。
【００４１】
また、プリント枚数等を指定する場合、マークシート方式に限らず、手書き文字認識によって指定するようにしてもよい。
【００４２】
次に、画像処理装置１００におけるデータ処理手順の一例について説明する。
【００４３】
図６は、画像処理装置１００におけるデータ処理手順の一例を示すフローチャートであり、インデックスプリントによる枚数自動指定処理手順に対応する。
【００４４】
まず、操作部１２によってメモリ部１３に記憶された画像情報に対するインデックスプリント（ＩＤＰ）指示がなされたかどうかを制御部１１で判断する（Ｓ１）。次に、インデックスプリント（ＩＤＰ）指示がされると、メモリ部１３に記憶されている画像情報を読み出し、インデックスプリントシート画像（サムネイル画像）データを生成する（Ｓ２）。
【００４５】
次いで、インデックスプリントシート（ＩＤＰＳ）を、モノクロでプリンタ部１６が印刷する（Ｓ３）。なお、インデックスプリントシート（ＩＤＰＳ）には、後述するプリント指定情報領域を特定する処理を簡便化するために、領域位置を特定するマーカも合わせてモノクロ印刷する。
【００４６】
次に、プリンタ部１６が印刷したインデックスプリントシート（ＩＤＰＳ）が、スキャナ部１５にセットされ、読み取りが指示されているかどうかを判断する（Ｓ４）。スキャナ部１５にセットされ、読み取りが指示されると、インデックスプリントシート（ＩＤＰＳ）上のマーカ領域３５を読み取る（Ｓ５）。この読み取ったマーカ領域の画像を解析する（Ｓ６）。
【００４７】
正常なマーカであると認識できなければ、インデックスプリントシート（ＩＤＰＳ）のチェックを促す通知を、ユーザに行い（Ｓ８）、再度マーカの読み込み、解析を行う。
【００４８】
正常なマーカであると認識できれば、領域３６の長さ情報を抽出する。そして、マーカ部分に続いて印刷されている入力部分を、抽出した長さだけ読み取る。
【００４９】
制御部１１は、読み取られたインデックスプリントシート上の入力部分のプリント指定情報を、所定の認識プログラムを起動して、認識処理する（Ｓ１０）。
【００５０】
なお、認識処理は、ＯＣＲ認識であってもよく、バーコードやマーカの記入位置を読み取って認識するものであってもよい。
【００５１】
次に、制御部１１が認識したプリント指定情報を、プリント出力設定に反映する（Ｓ１１）。なお、この際、読み取り内容を操作部１２に表示し、その確認指示を、ユーザから待つ処理を加えるようにしてもよい。
【００５２】
次に、メモリ部１３に記憶されている画像データのプリント指示を、操作部１２を介して受けることを待機（Ｓ１２）する。このときに、プリント指示が入力されたと判定すると、メモリ部１３に設定されているジョブ設定であると認識されたプリント指定情報中の、たとえば出力枚数指定に応じて、各画像データをプリンタ部１６から出力する（Ｓ１３）。
【００５３】
そして、指定された枚数分の印刷処理が完了したかどうかを判断し（Ｓ１４）、この印刷処理が完了していなければ、Ｓ１３へ戻り、完了していれば、処理を終了する。
【００５４】
次に、画像処理装置１００が読み出し可能なデータ処理プログラムの構成について説明する。
【００５５】
図７は、画像処理装置１００が読み出し可能なデータ処理プログラムを格納している記憶媒体のメモリマップを示す図である。
【００５６】
なお、図７には不図示であるが、記憶媒体に記憶されるプログラム群を管理する情報（バージョン情報、作成者等）も記憶され、かつ、プログラム読み出し側のＯＳ等に依存する情報（たとえばプログラムを識別表示するアイコン等）も記憶される場合がある。
【００５７】
さらに、各種プログラムに従属するデータも、上記ディレクトリに管理されている。また、各種プログラムをコンピュータにインストールするためのプログラムや、インストールするプログラムが圧縮されている場合に、解凍するプログラム等も記憶される場合がある。
【００５８】
外部からインストールされるプログラムによって、図６に示す機能がホストコンピュータによって遂行されるようにしてもよい。この場合、ＣＤ−ＲＯＭ、フラッシュメモリ、ＦＤ等の記憶媒体に、またはネットワークを介して、外部の記憶媒体から、プログラムを含む情報群を、出力装置に供給する場合にも、本発明を適用することができる。
【００５９】
上記実施例は、上記入力部と、上記入力部の範囲情報を含むマーカ部を印刷してインデックスシートを出力する。次に、インデックスシート上の上記マーカ部を読み取って解析し、上記入力部分の範囲を確定する。そして、上記確定した入力部分の範囲に基づいて、上記インデックスシート上の入力部を読み取り、最後に、読み取った入力部の画像を解析し、上記所定のメモリ媒体に記憶される各画像情報に対して、上記抽出されたプリント指定情報を自動設定する。
【００６０】
したがって、入力部分の有効範囲のみを読み取って解析することができるので、読み取った入力部の画像を、より高速に解析し、上記所定のメモリ媒体に記憶されている各画像情報に、抽出されたプリント指定情報を自動設定することができる。
【００６１】
つまり、上記実施例は、所定のメモリ媒体に記憶されている画像情報と、この画像情報の出力ジョブを設定するジョブ情報とを読み取り、モノクロまたはカラー画像を出力する画像処理装置である。上記実施例は、所定のメモリ媒体に記憶されている各画像情報のサムネイル画像と各画像情報のプリント指定情報とを入力する入力部と、サムネイル画像数情報を含むマーカ部とを具備するインデックスシートを印刷するインデックスシート出力手段を有する。また、上記実施例は、上記インデックスシート出力手段が印刷したインデックスシート上のマーカ部を読み取るマーカ部読取手段と、上記読取手段が読み取ったマーカ部の画像を解析し、上記入力部における読取範囲を決定する読取範囲決定手段とを有する。さらに、自動設定する設定手段を有する。この設定手段は、読取範囲決定手段が決定した範囲を読み取り、得られたインデックスシートの画像情報に基づいて、プリント指定情報エリアの画像を解析し、所定のメモリ媒体に記憶されている各画像情報に、解析されたプリント指定情報を自動設定する。
【００６２】
なお、上記プリント指定情報は、プリント枚数、出力用紙サイズ、レイアウト指定のうちの少なくとも１つの情報である。また、読取範囲決定手段は、マーカ部の画像を解析した結果、不正なマーカである場合、不正であることを通知するインデックスシート不具合通知手段を有する手段である。
【００６３】
上記所定のメモリ媒体は、デジタルカメラに装着可能なメモリカードである。
【図面の簡単な説明】
【００６４】
【図１】本発明の実施例１である画像処理装置１００の構成を示すブロック図である。
【図２】メモリ部１３に蓄積されている画像データと、この画像データに関連するデータの構造とを示す図である。
【図３】メモリ部１３に蓄積されている画像データのインデックスプリントを説明する図である。
【図４】プリント情報指定領域３３の詳細を示すブロック図である。
【図５】インデックスプリント３１のプリント情報指定領域３３に、各画像のプリント枚数を記入した記入済みインデックスプリント結果と、枚数指定状態とを示す図である。
【図６】画像処理装置１００におけるデータ処理手順の一例を示すフローチャートであり、インデックスプリントによる枚数自動指定処理手順に対応する。
【図７】画像処理装置１００が読み出し可能なデータ処理プログラムを格納している記憶媒体のメモリマップを示す図である。
【符号の説明】
【００６５】
１００…画像処理装置、
１１…制御部、
１２…操作部、
１３…メモリ部、
１４…メモリ入出力部、
１５…スキャナ部、
１６…プリンタ部、
１７…画像認識部、
２２…基本情報、
２３…付加情報、
２４…画像情報、
２５…プリント指定情報、
３１…インデックスプリント、
３２…サムネイル画像、
３３…プリント情報指定領域、
３４…マーカ、
３５、３６…領域。
【図１】
2007326301.tif 000003
【図２】
2007326301.tif 000004
【図３】
2007326301.tif 000005
【図４】
2007326301.tif 000006
【図５】
2007326301.tif 000007
【図６】
2007326301.tif 000008
【図７】
2007326301.tif 000009